【手続補正書】
【提出日】平成19年10月11日(2007.10.11)
【手続補正１】
【補正対象書類名】明細書
【補正対象項目名】特許請求の範囲
【補正方法】変更
【補正の内容】
【特許請求の範囲】
【請求項１】  装置が、被覆されていないステントを含まないという条件で、生体適合性の培地中に多孔性の合成コアと、該コアの少なくとも一つの合成表面上において少なくとも部分的にインビボ毛細管内皮形成を誘導することが可能な翻訳または転写産物をコードすることを特徴とした核酸とを含み、哺乳類の体内に移植された場合の血液、体液、および／または組織との少なくとも部分的な接触に関して改善された生物学的特性を有する医療用装置。
【請求項２】  哺乳類の体への導入に際して、装置が少なくとも一時的に核酸を結合し、かつ該装置から核酸を放出する、請求項1記載の装置。
【請求項３】  核酸が裸の形で生物学的に適合性の培地中に存在する、請求項1〜2のいずれかに記載の装置。
【請求項４】  核酸が、レトロウイルス、センダイウイルス、アデノ随伴ウイルス、およびアデノウイルスからなる群より選択されるウイルスベクターにおいて導入されている、請求項1〜3のいずれかに記載の装置。
【請求項５】  核酸がリポソームに存在する、請求項1〜3のいずれかに記載の装置。
【請求項６】  核酸が、線維芽細胞増殖因子（FGF）、血小板由来増殖因子（PDGF）、トランスフォーミング増殖因子（TGF）および上皮細胞増殖因子（EGF）ファミリー、胎盤由来増殖因子（PlGF）、肝細胞増殖因子（HGF）、ならびにアンジオポエチンからなる群より選択されるタンパク質またはポリペプチドをコードする、前記請求項のいずれか一項に記載の装置。
【請求項７】  核酸が、血管内皮増殖因子（VEGF）、酸性線維芽細胞増殖因子（aFGF）、塩基性線維芽細胞増殖因子（bFGF）、または線維芽細胞増殖因子5（FGF-5）をコードする、前記請求項のいずれかに記載の装置。
【請求項８】  生体適合性の培地が生体安定ポリマー、生体吸収ポリマー、生体分子、ヒドロゲルポリマーまたはフィブリンである、前記請求項のいずれかに記載の装置。
【請求項９】  コアとは別の容器に核酸を含み、哺乳類の体へ核酸を連続的に輸送することが可能な、前記請求項のいずれかに記載の装置。
【請求項１０】  核酸がイオン結合または共有結合によってコアに結合されている、請求項1〜9のいずれか一項に記載の装置。
【請求項１１】  合成表面が非多孔性である、前記請求項のいずれか一項に記載の装置。
【請求項１２】  合成表面が多孔性であって、孔を通しての毛細管および内皮の細胞増殖が可能である、請求項1〜11のいずれか一項に記載の装置。
【請求項１３】  心血管インプラントである、前記請求項のいずれか一項に記載の装置。
【請求項１４】  血管内インプラントである、前記請求項のいずれか一項に記載の装置。
【請求項１５】  哺乳類の体の一部を置換するためのインプラントである、前記請求項のいずれか一項に記載の装置。
【請求項１６】  多孔性のステント移植片である、請求項1〜15のいずれかに記載の装置。
【請求項１７】  多孔性の血管移植片である、請求項1〜14のいずれかに記載の装置。
【請求項１８】  多孔性の移植片連結材である、請求項1〜14のいずれかに記載の装置。
【請求項１９】  組織インプラントである、請求項１〜13のいずれか一項に記載の装置。
【請求項２０】  バイオセンサーである、請求項１〜13のいずれか一項に記載の装置。
【請求項２１】  血液、体液、および／または組織と少なくとも部分的に接触する少なくとも一つの合成表面を含む装置を体内に導入する段階、および生体適合性の培地中に存在し、インビボで合成表面上に少なくとも部分的に内皮形成を促進することが可能な翻訳または転写産物をコードすることを特徴とする核酸を、装置の体内への導入の前、同時、または後にその周辺組織に投与する段階を含む、合成表面に対する哺乳類の体の生体適合性を改善する方法。
【請求項２２】  露出し、被覆されていない、非多孔性のステントを装置が含まないという条件を有する、請求項21記載の方法。
【請求項２３】  哺乳類の体への導入に際して、装置が少なくとも一時的に核酸を結合し、該装置から核酸を放出する、請求項21または22に記載の方法。
【請求項２４】  核酸が裸の形で投与される、請求項21〜23のいずれかに記載の方法。
【請求項２５】  核酸が、レトロウイルス、センダイウイルス、アデノ随伴ウイルス、およびアデノウイルスからなる群より選択されるウイルスベクターにおいて投与される、請求項21〜23のいずれかに記載の方法。
【請求項２６】  核酸がリポソームにおいて投与される、請求項21〜23のいずれかに記載の方法。
【請求項２７】  核酸が、線維芽細胞増殖因子（FGF）、血小板由来増殖因子（PDGF）、トランスフォーミング増殖因子（TGF）および上皮細胞増殖因子（EGF）ファミリー、胎盤由来増殖因子（PlGF）、肝細胞増殖因子（HGF）、ならびにアンジオポエチンからなる群より選択されるタンパク質またはポリペプチドをコードする、請求項21〜26のいずれか一項に記載の方法。
【請求項２８】  核酸が、血管内皮増殖因子（VEGF）、酸性線維芽細胞増殖因子（aFGF）、塩基性線維芽細胞増殖因子（bFGF）、または線維芽細胞増殖因子5（FGF-5）からなる群より選択されるタンパク質またはポリペプチドをコードする、請求項21〜26のいずれか一項に記載の方法。
【請求項２９】  哺乳類の体に装置を導入する前または後に、核酸が装置の周囲に投与される、請求項21〜28のいずれか一項に記載の方法。
【請求項３０】  哺乳類の体に装置を導入する前に、核酸が装置に投与される、請求項21〜28のいずれか一項に記載の方法。
【請求項３１】  核酸がイオン結合または共有結合によってコアに結合している、請求項30記載の方法。
【請求項３２】  生体適合性の培地が生体安定ポリマー、生体吸収ポリマー、生体分子、ヒドロゲルポリマーまたはフィブリンである、請求項21〜31のいずれか一項に記載の方法。
【請求項３３】  核酸を投与する段階が少なくとも１回繰り返される、請求項21〜31のいずれか一項に記載の方法。
【請求項３４】  哺乳類の体がヒトの体である、請求項21〜33のいずれか一項に記載の方法。
【請求項３５】  装置が心血管手術において用いられるインプラントである、請求項21〜34のいずれか一項に記載の方法。
【請求項３６】  装置が体の一部を置換する、請求項21〜35のいずれか一項に記載の方法。
【請求項３７】  装置が血管内インプラントである、請求項21〜36のいずれか一項に記載の方法。
【請求項３８】  装置が組織インプラントである、請求項21〜37のいずれか一項に記載の方法。
【請求項３９】  装置がバイオセンサーである、請求項21〜38のいずれか一項に記載の方法。
【請求項４０】  装置が、被覆されていないステントを含まないという条件で、生体適合性の培地中に多孔性の合成コアと核酸とを含み、合成材料の少なくとも一つの表面を含むコアを提供する段階と；コアの少なくとも一つの表面上において少なくとも部分的にインビボ毛細管内皮形成を誘導することが可能な翻訳または転写産物をコードすることを特徴とした核酸を、生体適合性の培地中に提供する段階とを含み、哺乳類の体に移植された場合の血液、体液、および／または組織との少なくとも部分的な接触に関して改善された生物学的特性を有する医療用装置を作製するための方法。
【請求項４１】  核酸がイオン結合または共有結合によってコアに結合している、請求項40記載の方法。
【請求項４２】  核酸がコアとは別の容器において提供され、哺乳類の体へ導入後に核酸をコア周囲に少なくとも１回加えることができる、請求項41記載の方法。
【請求項４３】  装置が、被覆されていないステントを含まないという条件で、生体適合性の培地中に多孔性の合成コアと、該コアの少なくとも一つの合成表面上において少なくとも部分的にインビボ毛細管内皮形成を誘導することが可能な翻訳または転写産物をコードし、溶液またはゲルの形で該表面と接する核酸とを含み、医療用装置の合成表面の生物学的特性を哺乳類の体に移植された場合の血液、体液、および／または組織との少なくとも部分的な接触に関して改善するための、血管新生因子をコードする核酸の使用。